(57)【要約】【課題】  店舗用の控えとして発行されるレシートの整理および管理を容易化することができるレシートプリンタおよび商品販売システムを提供すること。【解決手段】  取引の会計処理を行うＰＯＳ端末を接続し、このＰＯＳ端末が会計処理した取引に関するレシートを発行するレシートプリンタにおいて、発行されるレシートの所定位置に穴開けを行う穴開け手段を設ける。そして、ＰＯＳ端末から店舗控え用レシートの発行指令を受けたことに応じて店舗控え用レシートを発行するとともに、穴開け手段を制御して当該レシートの所定位置に穴開けを行う。【選択図】    図６
2010044568.tif 000002
【特許請求の範囲】
【請求項１】
取引の会計処理を行うＰＯＳ端末を接続し、このＰＯＳ端末が会計処理した取引に関するレシートを発行するレシートプリンタにおいて、
発行されるレシートの所定位置に穴開けを行う穴開け手段と、
前記ＰＯＳ端末から店舗控え用レシートの発行指令を受けたことに応じて店舗控え用レシートを発行する控え用レシート発行手段と、
この控え用レシート発行手段が前記店舗控え用レシートを発行するとき、前記穴開け手段を制御して当該レシートの所定位置に穴開けを行う穴開け制御手段と、
を備えてなることを特徴とするレシートプリンタ。
【請求項２】
前記穴開け手段は、前記店舗控え用レシートの上端から所定距離だけ下方側に穴開けすることを特徴とする請求項１に記載のレシートプリンタ。
【請求項３】
前記穴開け手段により穴開けしたレシートの抜きかすを収納する収納手段をさらに備えてなることを特徴とする請求項１又は２に記載のレシートプリンタ。
【請求項４】
カード決済により取引の会計処理が可能なＰＯＳ端末と、このＰＯＳ端末が会計処理した取引に関するレシートを発行するレシートプリンタとを備えた商品販売システムにおいて、
前記ＰＯＳ端末は、前記カード決済がなされたとき、前記レシートプリンタに店舗控え用レシートの発行を指令する控え用レシート発行指令手段を備え、
前記レシートプリンタは、
発行されるレシートの所定位置に穴開けを行う穴開け手段と、
前記ＰＯＳ端末から店舗控え用レシートの発行指令を受けたことに応じて店舗控え用レシートを発行する控え用レシート発行手段と、
この控え用レシート発行手段が前記店舗控え用レシートを発行するとき、前記穴開け手段を制御して当該レシートの所定位置に穴開けを行う穴開け制御手段と、
を備えてなることを特徴とする商品販売システム。
【発明の詳細な説明】
【技術分野】
【０００１】
本発明は、ＰＯＳ端末にて会計処理された取引に関するレシートを発行するレシートプリンタおよびこのレシートプリンタを備える商品販売システムに関する。
【背景技術】
【０００２】
従来、スーパーマーケットやコンビニエンスストアなどの商品販売店舗では、ＰＯＳ端末などの商品販売データ処理装置が会計処理に使用されている。ＰＯＳ端末は、処理内容を表示するディスプレイ、置数キーなどを配置したキーボード、商品に付されたバーコードを読み取るためのスキャナ、クレジットカードやポイントカードなどに記憶された情報を読み取るためのカードリーダおよびレシートを発行するためのレシートプリンタなどを備えている。上記スキャナ、カードリーダおよびレシートプリンタなどは、ＰＯＳ端末の本体に内蔵されずに外付けされる場合もある。
【０００３】
商品の販売処理に際しては、上記スキャナにより商品に付されたバーコードから商品コードを読み取り、この商品コードに基づいて商品マスタから商品価格などの商品データを取得して、販売データとして登録する。このようにして登録された商品データに基づいて取引の合計金額を算出し、会計処理が行われる。このとき、代金の支払方法には現金決済とカード決済とがあり、現金決済の場合には、会計処理の完了とともに取引内容を印字したレシートが上記レシートプリンタから発行される。（例えば、特許文献１を参照）
一方、カード決済の場合には、会計処理の完了とともに取引内容を印字したレシートが発行され、さらに同様の取引内容に加えて客の署名欄などが印字された店舗控え用のレシートおよびカード会社控え用のレシートが発行される。かかるカード決済が行われる割合は、近年増加する傾向にある。
【特許文献１】特開平１０−１６２２４９号公報
【発明の開示】
【発明が解決しようとする課題】
【０００４】
上記のようにカード決済時に発行された店舗控え用のレシートは、基台部から突出したピンにレシートを突き刺して使用するレシートホルダーなどの事務用品を使用して一時的に保管しておいて、繁盛時が過ぎてからステープラーを用いるなどして複数の店舗控え用のレシートを整理する運用がなされることが多い。
【０００５】
しかしながら、上記レシートホルダーが備えるピンにレシートを突き刺す場合には、レシートごとに突き刺す位置がばらついてしまい、レジ周りが煩雑に見えてしまう。また、ステープラーを用いて複数の店舗控え用のレシートを一つにまとめた場合には、その後返品などに対応するためにレシートを取り出そうとするときには、ステープラーの針を取り除かなければならないし、新たにレシートを加えようとするときには、やはり針を取り除くか、別箇所にさらに針を打ち込まなければならない。このように、店舗控え用のレシートの管理は非常に煩雑であるため、容易に管理が行える手法が必要であった。
【０００６】
本発明は、上記のような事情に基づいてなされたものであり、その目的は、発行されるレシートの整理および管理を容易化することができるレシートプリンタおよび商品販売システムを提供することである。
【課題を解決するための手段】
【０００７】
本発明は、取引の会計処理を行うＰＯＳ端末を接続し、このＰＯＳ端末が会計処理した取引に関するレシートを発行するレシートプリンタにおいて、発行されるレシートの所定位置に穴開けを行う穴開け手段と、前記ＰＯＳ端末から店舗控え用レシートの発行指令を受けたことに応じて店舗控え用レシートを発行する控え用レシート発行手段と、この控え用レシート発行手段が前記店舗控え用レシートを発行するとき、前記穴開け手段を制御して当該レシートの所定位置に穴開けを行う穴開け制御手段とを備えてなることを特徴としている。
【発明の効果】
【０００８】
かかる手段を講じた本発明によれば、発行されるレシートの整理および管理を容易化することができるレシートプリンタおよび商品販売システムを提供することができる。
【発明を実施するための最良の形態】
【０００９】
以下、本発明を実施するための最良の形態について、図面を参照しながら説明する。  
図１は、本発明に係るレシートプリンタ１の概略構成を示す模式図である。レシートプリンタ１は、内部に感熱紙であるレシート用紙２をロール状に巻回したレシートロール３を格納している。レシートロール３から延出したレシート用紙２は、ガイドローラ４，ガイドローラ５およびガイドローラ６によりレシート発行口７へと案内される。
【００１０】
ガイドローラ４とガイドローラ５との間には、プラテンローラ８と該ローラ８に当接するように対向配置されたサーマルヘッド９とがレシート用紙２を加圧狭持している。プラテンローラ８は、搬送モータ２８（図３参照）に回転駆動され、レシート用紙２をレシート発行口７へと搬送する。サーマルヘッド９は、プラテンローラ８と当接する位置の近傍にライン状に配設された多数の発熱素子を有しており、印字データに応じて各発熱素子への通電を制御することによってレシート用紙２に文字や図形などの印字パターンを形成する。
【００１１】
ガイドローラ５とガイドローラ６との間には、用紙カッタ１０とパンチ穴機構１１とが配置されている。用紙カッタ１０は、取引内容などが印字されたレシートの搬送方向後端を裁断する。パンチ穴機構１１は、図中矢印の方向すなわちガイドローラ５とガイドローラ６との間に搬送されるレシート用紙２の搬送方向に対して略直交する方向に動作して、所定のタイミングでレシート用紙を打ち抜く（穴開け手段）。パンチ穴機構１１でレシート用紙２を打ち抜くことで生じる抜きかす１２は、排紙トレー１３の中に落下するようになっている（収納手段）。
【００１２】
図２は、レシートプリンタ１の外観を示す模式的斜視図である。パンチ穴機構１１で穴開けされレシート発行口７から発行されるレシート用紙２には、パンチ穴機構１１の先端部の形状に応じた形状のパンチ穴１４ａが形成される。上記排紙トレー１３は、図中矢印の方向へ引っ張ることで本体から取り出すことが可能な引き出し状になっている。
【００１３】
図３は、レシートプリンタ１の制御回路を示すブロック図である。レシートプリンタ１の制御回路は、メインの制御手段としてＣＰＵ２０を備え、このＣＰＵ２０に各種制御プログラムなどの固定的データを記憶したＲＯＭ（Read Only Memory）２１、処理場面に応じた各種のメモリエリアを形成するＲＡＭ（Random Access Memory）２２、パラレルインターフェイス（Ｉ／Ｆ）２３、サーマルヘッドコントローラ２４および駆動コントローラ２５をアドレスバスやデータバスなどのバスライン２６で接続して構成されている。
【００１４】
パラレルインターフェイス２３は、ＬＡＮ（Local Area Network）ケーブル２７を接続し、ＰＯＳ端末３０との通信を司る。サーマルヘッドコントローラ２４は、サーマルヘッド９を接続し、サーマルヘッド９への通電を制御する。駆動コントローラ２５は、プラテンローラ８などを回転駆動する搬送モータ２８、用紙カッタ１０およびパンチ穴機構１１を接続し、所定のタイミングでこれらを制御する。
【００１５】
レシートの発行に際しては、先ずＬＡＮケーブル２７を介してパラレルインターフェイス２３がＰＯＳ端末３０から受信した取引内容に関する印字データがＲＡＭ２２に展開処理される。そして、駆動コントローラ２５が搬送モータ２８の回転駆動を制御してレシート用紙２を搬送するとともに、上記展開処理したデータに基づいてサーマルヘッドコントローラ２４がサーマルヘッド９への通電を制御する。このとき、サーマルヘッド９の発熱に応じて感熱紙であるレシート用紙２に上記展開処理したデータに基づく写像が形成される。
【００１６】
続いて、上記パラレルインターフェイス２３に接続されるＰＯＳ端末３０について説明する。図４は、ＰＯＳ端末３０の制御回路を示すブロック図である。ＰＯＳ端末３０の制御回路は、メインの制御手段としてＣＰＵ３１を備え、このＣＰＵ３１に各種制御プログラムなどの固定的データを記憶したＲＯＭ３２、処理場面に応じた各種のメモリエリアを形成するＲＡＭ３３、パラレルインターフェイス（Ｉ／Ｆ）３４、キーボードコントローラ３５、ディスプレイコントローラ３６、カードリーダコントローラ３７およびスキャナインターフェイス（Ｉ／Ｆ）３８をアドレスバスやデータバスなどのバスライン３９で接続して構成されている。
【００１７】
パラレルインターフェイス３４は、ＬＡＮケーブル４０を接続し、レシートプリンタ１との通信を司る。キーボードコントローラ３５は、キーボード４１を接続し、キーボード４１に設けられた各種操作キーの操作による入力信号を処理する。ディスプレイコントローラ３６は、ディスプレイ４２を接続し、ディスプレイ４２の画面表示を制御する。カードリーダコントローラ３７は、カードリーダ４３を接続し、カードリーダ４３にスライドされたクレジットカードやキャッシュカードなどの磁気カードに記憶されたデータを読み取る。スキャナインターフェイス３８は、スキャナ４４を接続し、スキャナ４４を制御して商品に付されたバーコードを読み取る。
【００１８】
次に、上記のような構成による作用について説明する。  
図５は、取引の会計処理にてＰＯＳ端末３０のＣＰＵ３１が実行する処理の流れ図である。この処理は、ＲＯＭ３２に記憶された制御プログラムに基づいて実行される。
【００１９】
先ず、ＣＰＵ３１は、ＳＴ１０１としてスキャナ４４による商品に付されたバーコードの読み取りやキーボード４１からの操作入力による商品データの登録を受け付ける。客が買い上げる商品の登録が完了したときには、キャッシャがキーボード４１に設けられた小計キーを操作する。そして、この小計キーが操作されたときには、ＳＴ１０２として当該取引の決済方法がカード決済であるか否かを判断する。具体的には、キーボード４１に設けられたカード決済選択用の操作キーが操作されたときにはカード決済であると判断し、操作されていないときにはカード決済ではなく現金決済であると判断する。なお、カード決済である場合には、カードリーダ４３によりクレジットカードなどの読み取りを受け付け、読み取ったデータはＲＡＭ３３に記憶される。
【００２０】
ＳＴ１０２の処理にて当該取引の決済方法がカード決済であると判断されたときには（ＳＴ１０２のＹｅｓ）、ＳＴ１０３として当該取引のカード決済処理を行う。具体的には、カードリーダ４３により読み取ったカードのカード会社が運営するサーバにアクセスし、当該取引の取引内容を送信するなどの処理を行う。しかる後、ＳＴ１０４としてレシートプリンタ１に当該取引の取引内容に関する印字データとともに、店舗控え用レシートの発行指示を送信して当該会計処理を終了する（控え用レシート発行指令手段）。
【００２１】
一方、ＳＴ１０２の処理にて当該取引の決済方法がカード決済でないと判断されたときには（ＳＴ１０２のＮｏ）、ＳＴ１０５として現金決済処理を行う。具体的には、キーボード４１により客からの預り金額の入力を受け付け、入力された預り金額と代金とに基づいて釣銭額を算出して図示しないドロワを開放する。しかる後、ＳＴ１０６としてレシートプリンタ１に当該取引の取引内容に関する印字データを送信して当該会計処理を終了する。
【００２２】
続いて、ＳＴ１０４またはＳＴ１０６の処理にてＰＯＳ端末３０から送信された取引内容に関する印字データを受信した際にレシートプリンタ１のＣＰＵ２０が実行するレシート発行処理の流れについて説明する。図６は、レシートプリンタ１のＣＰＵ２０が実行する上記レシート発行処理の流れ図である。この処理は、ＲＯＭ２１に記憶された制御プログラムに基づいて実行される。
【００２３】
先ず、ＣＰＵ２０は、ＳＴ２０１として受信した取引内容に関する印字データをＲＡＭ２２に展開処理し、駆動コントローラ２５に搬送モータ２８を回転駆動させるとともに、ＲＡＭ２２に展開処理したデータに基づいてサーマルヘッドコントローラ２４にサーマルヘッド９への通電を制御させて、客用のレシートを印字する。
【００２４】
かくして客用のレシートを印字し終えた後、ＳＴ２０２としてＲＯＭ２１に予め記憶されたレシートのヘッダ部分の印字データをＲＡＭ３３に展開処理し、展開処理したデータに基づいて次回発行するレシートのヘッダ部分を印字する。このヘッダ部分のレシート用紙２の搬送方向長さと、サーマルヘッド９がレシート用紙に当接する位置から用紙カッタ１０による裁断位置までのレシート用紙２の搬送路上の長さは、略同一となるように調整されている。すなわち、ヘッダ部分の印字が完了したときには、取引内容を印字したレシートの終端が用紙カッタ１０の裁断位置に位置決めされる。ヘッダ部分の印字が完了したときには、ＳＴ２０３として店舗控え用レシート発行指示をＰＯＳ端末３０から受信したか否かを判断する。店舗控え用レシート発行指示をＰＯＳ端末３０から受信している場合には（ＳＴ２０３のＹｅｓ）、ＳＴ２０４として駆動コントローラ２５にパンチ穴機構１１を制御させてレシート用紙２への穴開け処理を実行する（穴開け制御手段）。一方、店舗控え用レシート発行指示をＰＯＳ端末３０から受信していない場合には（ＳＴ２０３のＮｏ）、レシート用紙２への穴開け処理は実行しない。
【００２５】
上記穴開け処理の後または店舗控え用レシート発行指示をＰＯＳ端末３０から受信していない場合には、ＳＴ２０５として駆動コントローラ２５に用紙カッタ１０を駆動制御させレシート用紙２を裁断する。
【００２６】
次に、ＣＰＵ２０は、ＳＴ２０６として店舗控え用レシート発行指示をＰＯＳ端末３０から受信したか否かを判断する。店舗控え用レシート発行指示をＰＯＳ端末３０から受信している場合には（ＳＴ２０６のＹｅｓ）、ＳＴ２０７として当該取引の店舗控え用レシートの印字データを作成してＲＡＭ２２に展開処理し、展開処理したデータに基づいて店舗控え用レシートを印字する（控え用レシート発行手段）。
【００２７】
続いて、ＳＴ２０８として上記ＳＴ２０２の処理と同様に次回発行するレシートのヘッダ部分を印字する。そして、ＳＴ２０９として駆動コントローラ２５に用紙カッタ１０を駆動制御させレシート用紙２を裁断する。
【００２８】
このように店舗控え用レシートを発行した後、ＳＴ２１０として当該取引のカード会社控え用レシートの印字データを作成してＲＡＭ２２に展開処理し、展開処理したデータに基づいてカード会社控え用レシートを印字する。続いて、ＳＴ２１１として上記ＳＴ２０２およびＳＴ２０８の処理と同様に次回発行するレシートのヘッダ部分を印字する。そして、ＳＴ２１２として駆動コントローラ２５に用紙カッタ１０を駆動制御させレシート用紙２を裁断する。
【００２９】
図７は、上記レシート発行処理にて印字された店舗控え用のレシート１４の一例を示す模式図である。当該レシート１４には、ＳＴ２０２の処理にて印字されたヘッダ部分１４ｂの下方にＳＴ２０７の処理にて取引の日付、レジナンバ、買上商品名、商品価格、合計金額、署名欄、取引ナンバおよび取引時刻などが印字される。ＳＴ２０４の処理にて開けられたパンチ穴１４ａは、例えば図示したように店舗控え用のレシート１４の左上に開けられるようにする。
【００３０】
以上説明したように、レシートプリンタ１は、パラレルインターフェイス２３を介して接続されたＰＯＳ端末にてカード決済がなされた場合には、所定位置にパンチ穴１４ａが開けられた店舗控え用のレシート１４を発行する。発行された店舗控え用のレシート１４は、レシートホルダーが備えるピンに突き刺す必要はなく、当該ピンをパンチ穴１４ａに挿通させておけばよい。このパンチ穴１４ａは、いずれの店舗控え用のレシート１４においてもその上端から所定距離だけ下方に穴開けされるので、レシートホルダーに保管される際にばらつきが少なくなり、レジ周りが煩雑に見えるようなことを防止できる。
【００３１】
また、複数の店舗控え用のレシート１４をまとめる際にもパンチ穴１４ａにリングを挿通して綴じるなどしておけばステープラーを用いる必要がないので、後でレシートを取り出そうとする際にも所望のレシートのみを取り出すことができ、新たなレシートを用意に加えることもできる。このように、レシートプリンタ１を用いることで、発行されるレシートの整理および管理が容易となる。
【００３２】
なお、この発明は前記実施形態そのままに限定されるものではなく、実施段階においては、要旨を逸脱しない範囲内にて各構成要素を適宜変形して具体化することができる。
【００３３】
例えば、パンチ穴機構１１による穴開けは、店舗控え用レシートに対してのみ行われるのではなく、他の種類のレシートに対しても行われるようにしてもよい。
【００３４】
また、パンチ穴機構１１による穴開け位置は、図７に示したようにレシートの左上部分に限定されず、レシートプリンタ１の使用態様に適した位置に位置決めされるようにすればよいし、１枚のレシートに対して複数の穴開けがなされるようにしてもよい。
【００３５】
また、レシートプリンタ１は、パラレルインターフェイス２３，３４を介してＰＯＳ端末３０の外部機器として接続されるのではなく、予めＰＯＳ端末３０に組み込まれたものであってもよい。
【００３６】
この他、前記実施形態に開示されている複数の構成要素を適宜組み合わせることにより種々の発明を形成することができる。例えば、実施形態に示される全体構成要素から幾つかの構成要素を削除してもよい。
【図面の簡単な説明】
【００３７】
【図１】本発明の一実施形態におけるレシートプリンタの概略構成を示す模式図。
【図２】同実施形態におけるレシートプリンタの外観を示す模式的斜視図。
【図３】同実施形態におけるレシートプリンタの制御回路を示すブロック図。
【図４】同実施形態におけるＰＯＳ端末の制御回路を示すブロック図。
【図５】同実施形態においてＰＯＳ端末のＣＰＵが実行する会計処理の流れ図。
【図６】同実施形態においてレシートプリンタのＣＰＵが実行する処理の流れ図。
【図７】同実施形態において発行される店舗控え用レシートの模式図。
【符号の説明】
【００３８】
１…レシートプリンタ、２…レシート用紙、３…レシートロール、４，５，６…ガイドローラ、７…レシート発行口、８…プラテンローラ、９…サーマルヘッド、１０…用紙カッタ、１１…パンチ穴機構、１３…排紙トレー、３０…ＰＯＳ端末
【図１】
2010044568.tif 000003
【図２】
2010044568.tif 000004
【図３】
2010044568.tif 000005
【図４】
2010044568.tif 000006
【図５】
2010044568.tif 000007
【図６】
2010044568.tif 000008
【図７】
2010044568.tif 000009